(57)【要約】【課題】調理途中で換気が停止されることがなく、かつ、消し忘れを確実に防止することが可能な換気装置を提供する。【解決手段】（ａ）換気装置（レンジフード）の制御部との間で通信データの送受信を行う無線通信を行う送受信部１０Ｓと、音および光の少なくとも一方によって報知を行う報知部２０と、操作することにより、ファンモータ停止指令用無線信号を無線通信によって制御部に送信する停止指令スイッチ１３とを有するリモコン１０を備え、（ｂ）リモコンが、ファンモータの運転開始時点から所定タイマ時間が経過した時点で、報知部によって報知を行い、（ｃ）制御部が、ファンモータ停止指令用無線信号を受信したときに、ファンモータの運転を停止するように構成する。【選択図】図２Ａ
2018179377.tif 000002
【特許請求の範囲】
【請求項１】
ファンモータで起動される排気用ファンと、前記ファンモータの運転を制御する制御部とを備えた換気装置であって、
（ａ）前記制御部との間で通信データの送受信を行う無線通信を行う送受信部と、
音および光の少なくとも一方によって報知を行う報知部と、
操作することにより、ファンモータ停止指令用無線信号を前記無線通信によって前記制御部に送信する停止指令スイッチと
を有するリモコンを備え、
（ｂ）前記リモコンが、前記ファンモータの運転開始時点から所定タイマ時間が経過した時点で、前記報知部によって報知を行い、
（ｃ）前記制御部が、前記ファンモータ停止指令用無線信号を受信したときに、前記ファンモータの運転を停止するように構成されていること
を特徴とする換気装置。
【請求項２】
前記制御部が、前記ファンモータの運転の開始後、前記所定タイマ時間が経過した時点で、前記リモコンに対して前記無線通信によってタイムアップ信号を送信し、
前記リモコンが、前記タイムアップ信号を受信したときに、前記報知部によって報知を行うように構成されていること
を特徴とする請求項１記載の換気装置。
【請求項３】
前記制御部が、前記ファンモータの運転開始時点で、前記リモコンに対して前記無線通信によって運転開始信号を送信し、
前記リモコンが、前記運転開始信号を受信した後、前記所定タイマ時間が経過した時点で、前記報知部によって報知を行うように構成されていること
を特徴とする請求項１記載の換気装置。
【請求項４】
前記リモコンが、タイマ時間変更設定操作部を備え、
前記タイマ時間変更設定操作部の操作により、タイマ時間変更設定信号を前記無線通信によって前記制御部に送信し、
前記制御部が、前記タイマ時間変更設定信号を受信したときに、前記所定タイマ時間を変更設定するように構成されていること
を特徴とする請求項２記載の換気装置。
【請求項５】
前記リモコンが、タイマ時間変更設定操作部を備え、
前記タイマ時間変更設定操作部の操作によって前記所定タイマ時間を変更設定し、
前記リモコンが、前記運転開始信号を受信した後、変更設定された前記所定タイマ時間が経過した時点で、前記報知部によって報知を行うように構成されていること
を特徴とする請求項３記載の換気装置。
【請求項６】
該換気装置が複数存在している場合において、複数の換気装置のそれぞれに異なるＩＤコードが設定され、
前記リモコンが、前記ＩＤコードを含めて前記通信データを前記無線通信によって前記制御部に送信し、
前記制御部が、受信した前記通信データに前記ＩＤコードが含まれるとき、前記通信データを、当該制御部に対応する前記リモコンからの通信データとして受信し、
前記制御部が、前記ＩＤコードを含む前記通信データを前記無線通信によってリモコンに送信し、
前記リモコンが、受信した前記通信データに前記ＩＤコードが含まれるとき、前記通信データを、当該リモコンに対応する制御部からの通信データとして受信するように構成されていること
を特徴とする請求項１〜５のいずれかに記載の換気装置。
【請求項７】
ＩＤコード転送手段を備えるとともに、前記ＩＤコードが前記制御部に格納されており、
前記制御部が、前記ＩＤコード転送手段によって、前記ＩＤコードを前記リモコンに転送することができるように構成されていること
を特徴とする請求項６記載の換気装置。
【請求項８】
該換気装置が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧により充電することができるように構成され、かつ、
前記交番磁界発生部に重畳された前記ＩＤコードが、前記交流電圧に重畳される形態で前記リモコンに転送されるように構成されていること
を特徴とする請求項６記載の換気装置。
【請求項９】
該換気装置に対して所定の操作を行ったときに、前記リモコンが音による報知を行うように構成されていることを特徴とする請求項１〜８のいずれかに記載の換気装置。
【発明の詳細な説明】
【技術分野】
【０００１】
本発明は、換気装置に関し、詳しくは、例えば、調理機器などとともに用いられる換気装置に関する。
【背景技術】
【０００２】
例えばガスコンロやガスグリルなどの調理機器を用いて魚や肉を焼いたりする調理を行う際に、調理排気を外部に排出するために用いられる換気装置の中には、予め設定したタイマ時間が経過すると換気が停止するように構成された換気装置がある。
【０００３】
そして、そのような換気装置に用いられるタイマスイッチとして、例えば、設定したタイマ時間が経過すると換気装置による換気を停止させるように用いられるタイマ付きスイッチが特許文献１に開示されている。
【０００４】
このタイマ付きスイッチを換気装置に用いることにより、換気装置の消し忘れを防止することが可能になり、有意義である。
【先行技術文献】
【特許文献】
【０００５】
【特許文献１】実用新案登録第３１７５３２０号公報
【発明の概要】
【発明が解決しようとする課題】
【０００６】
しかしながら、例えば、ガスコンロなどを用いて調理を行う際に、換気装置によって換気を行っている場合において、タイマ付きスイッチに設定されたタイマ時間が経過したときに調理が完了していない場合には、調理の途中で換気が停止してしまうことになり好ましくない。
また、調理の途中で換気が停止してしまった場合は、改めて換気装置を再起動しなければならないという煩わしさを伴うことになるという問題点があり、改善の余地がある。
【０００７】
本発明は、上記の課題を解決するものであり、ガスコンロなどの調理機器を用いて調理を行う際の換気を行うための換気装置であって、調理途中で、使用者の意図に反して換気が停止されてしまうことがなく、かつ、消し忘れを確実に防止することが可能な換気装置を提供することを目的とする。
【課題を解決するための手段】
【０００８】
上記の目的を達成するために、本発明の換気装置は、
ファンモータで起動される排気用ファンと、前記ファンモータの運転を制御する制御部とを備えた換気装置であって、
（ａ）前記制御部との間で通信データの送受信を行う無線通信を行う送受信部と、
音および光の少なくとも一方によって報知を行う報知部と、
操作することにより、ファンモータ停止指令用無線信号を前記無線通信によって前記制御部に送信する停止指令スイッチと
を有するリモコンを備え、
（ｂ）前記リモコンが、前記ファンモータの運転開始時点から所定タイマ時間が経過した時点で、前記報知部によって報知を行い、
（ｃ）前記制御部が、前記ファンモータ停止指令用無線信号を受信したときに、前記ファンモータの運転を停止するように構成されていること
を特徴としている。
【０００９】
本発明の換気装置においては、前記制御部が、前記ファンモータの運転の開始後、前記所定タイマ時間が経過した時点で、前記リモコンに対して前記無線通信によってタイムアップ信号を送信し、
前記リモコンが、前記タイムアップ信号を受信したときに、前記報知部によって報知を行うように構成されていること
が好ましい。
【００１０】
また、前記制御部が、前記ファンモータの運転開始時点で、前記リモコンに対して前記無線通信によって運転開始信号を送信し、
前記リモコンが、前記運転開始信号を受信した後、前記所定タイマ時間が経過した時点で、前記報知部によって報知を行うように構成されていること
が好ましい。
【００１１】
また、前記リモコンが、タイマ時間変更設定操作部を備え、
前記タイマ時間変更設定操作部の操作により、タイマ時間変更設定信号を前記無線通信によって前記制御部に送信し、
前記制御部が、前記タイマ時間変更設定信号を受信したときに、前記所定タイマ時間を変更設定するように構成されていること
が好ましい。
【００１２】
また、前記リモコンが、タイマ時間変更設定操作部を備え、
前記タイマ時間変更設定操作部の操作によって前記所定タイマ時間を変更設定し、
前記リモコンが、前記運転開始信号を受信した後、変更設定された前記所定タイマ時間が経過した時点で、前記報知部によって報知を行うように構成されていること
が好ましい。
【００１３】
また、該換気装置が複数存在している場合において、複数の換気装置のそれぞれに異なるＩＤコードが設定され、
前記リモコンが、前記ＩＤコードを含めて前記通信データを前記無線通信によって前記制御部に送信し、
前記制御部が、受信した前記通信データに前記ＩＤコードが含まれるとき、前記通信データを、当該制御部に対応する前記リモコンからの通信データとして受信し、
前記制御部が、前記ＩＤコードを含む前記通信データを前記無線通信によってリモコンに送信し、
前記リモコンが、受信した前記通信データに前記ＩＤコードが含まれるとき、前記通信データを、当該リモコンに対応する制御部からの通信データとして受信するように構成されていること
が好ましい。
【００１４】
また、ＩＤコード転送手段を備えるとともに、前記ＩＤコードが前記制御部に格納されており、
前記制御部が、前記ＩＤコード転送手段によって、前記ＩＤコードを前記リモコンに転送することができるように構成されていること
が好ましい。
【００１５】
また、該換気装置が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧により充電することができるように構成され、かつ、
前記交番磁界発生部に重畳された前記ＩＤコードが、前記交流電圧に重畳される形態で前記リモコンに転送されるように構成されていること
が好ましい。
【００１６】
また、該換気装置に対して所定の操作を行ったときに、前記リモコンが音による報知を行うように構成されていることが好ましい。
【発明の効果】
【００１７】
本発明の換気装置は、上述のように構成されており、換気の停止、つまりファンモータの運転停止はリモコンに備える停止指令スイッチの操作によって行われるので、ガスコンロなどを用いて調理を行う際に換気を行っている場合に、調理途中で、使用者の意図に反して換気が停止されてしまうことがない。また、所定タイマ時間が経過した時点で、報知部によって報知を行うので換気装置の消し忘れを防止することができる。
したがって、調理途中で換気が停止されてしまうことがなく、所定タイマ時間が経過した時点で消し忘れることのない、使い勝手がよく、信頼性の高い換気装置を提供することが可能になる。
【００１８】
また、制御部が、ファンモータの運転の開始後、所定タイマ時間が経過した時点で、リモコンに対して無線通信によってタイムアップ信号を送信し、リモコンが、タイムアップ信号を受信したときに、報知部によって報知を行うように構成することにより、本発明の換気装置を確実に構成することができる。また、リモコンが所定タイマ時間が経過したことを計測するタイマ部を備えていることが不要になるので、リモコンの構成を簡素化することができる。
【００１９】
また、制御部が、ファンモータの運転の開始時点で、リモコンに対して無線通信によって運転開始信号を送信し、リモコンが、運転開始信号を受信した後、所定タイマ時間が経過した時点で、報知部によって報知を行うように構成した場合、リモコンにおいて所定タイマ時間が経過したことを計測するので、所定タイマ時間を変更する必要が生じた場合に、リモコン側の変更だけで所定タイマ時間を変更することが可能になり、所定タイマ時間を変更する必要が生じた場合に、制御部による制御定数を変更することが不要になるため、使い勝手の良好な換気装置を提供することができる。
【００２０】
また、リモコンが、タイマ時間変更設定操作部を備え、タイマ時間変更設定操作部の操作により、タイマ時間変更設定信号を無線通信によって制御部に送信し、制御部が、タイマ時間変更設定信号を受信したときに、所定タイマ時間を変更設定するようにした場合、リモコンによって所定タイマ時間を変更することが可能になり、使い勝手の良好な換気装置を提供することができる。
【００２１】
また、前記リモコンが、タイマ時間変更設定操作部を備え、このタイマ時間変更設定操作部の操作によって所定タイマ時間を変更設定し、リモコンが、運転開始信号を受信した後、変更設定された所定タイマ時間が経過した時点で、報知部によって報知を行うように構成した場合、リモコンによって所定タイマ時間を変更することが可能になるので、使い勝手の良好な換気装置を提供することができる。
【００２２】
また、該換気装置が複数存在している場合において、複数の換気装置のそれぞれに異なるＩＤコードが設定され、リモコンが、ＩＤコードを含めて通信データを無線通信によって制御部に送信するように構成され、制御部が、受信した通信データの中にＩＤコードが含まれるとき、通信データを当該制御部に対応するリモコンからの通信データとして受信し、制御部が、ＩＤコードを含む通信データを、無線通信によってリモコンに送信し、リモコンが、受信した通信データの中にＩＤコードが含まれるとき、当該通信データを当該リモコンに対応する制御部からの通信データとして受信するように構成した場合、複数の換気装置が設置された場合にも、換気装置が、その換気装置に対応するリモコン以外のリモコンから送信される通信データによって誤動作すること、およびリモコンが、当該リモコンに対応する制御部以外の制御部から送信される通信データによって誤動作することを防止することが可能になり、信頼性を確保することができる。
【００２３】
また、ＩＤコード転送手段を備えているとともに、ＩＤコードが制御部に格納されており、制御部が、ＩＤコード転送手段によって、ＩＤコードをリモコンに転送することができるように可能に構成されている場合、メンテナンスなどにより、制御部、またはリモコンを取り換える必要が生じたときに、制御部とリモコンを同じＩＤコードによって対応付けることが可能になり、有意義である。
【００２４】
また、換気装置が、交番磁界を発生させる交番磁界発生部を備え、リモコンが、電源としてのバッテリーと、交番磁界によって発生した交流電圧を直流電圧に変換して直流電圧を発生させる直流電圧発生部とを備え、バッテリーが、直流電圧発生部で発生した直流電圧により充電することができるように構成され、かつ、交番磁界発生部に重畳されたＩＤコードが、交流電圧に重畳される形態でリモコンに転送されるように構成されている場合、リモコンの電源となるバッテリーを充電するときや、制御部からリモコンにＩＤコードを転送するときに、電線による制御部とリモコンとの接続が不要であることから、接続不良や接点の接触不良などを引き起こすことがなく、信頼性が高く、使い勝手の良好な換気装置を提供することができる。
【００２５】
換気装置に対して所定の操作を行ったときに、リモコンが音による報知を行うように構成した場合、リモコンをどこかに置き忘れたような場合などに、リモコンの音による報知によってリモコンの存在場所が判明するので、使い勝手の良好か換気装置を提供することができる。
【図面の簡単な説明】
【００２６】
【図１】本発明の第１実施形態にかかる換気装置（レンジフード）を示す切欠き正面図である。
【図２Ａ】本発明の第１実施形態の換気装置（レンジフード）において用いられているリモコンを示す図であって、（ａ）は正面図、（ｂ）は切欠き側面図である。
【図２Ｂ】本発明の第１実施形態の変形例にかかる換気装置（レンジフード）において用いられているリモコンを示す図であって、（ａ）は正面図、（ｂ）は切欠き側面図である。
【図２Ｃ】本発明の第２実施形態の換気装置（レンジフード）において用いられているリモコンを示す図であって、（ａ）は正面図、（ｂ）は切欠き側面図である。
【図３】本発明の実施形態にかかる換気装置（レンジフード）のリモコンホルダ付近の切欠き正面図である。
【図４】本発明の実施形態にかかる換気装置（レンジフード）のリモコンホルダにリモコンを装着した状態を示す切欠き正面図である。
【図５】本発明の実施形態の他の変形例にかかる換気装置（レンジフード）のリモコンホルダにリモコンを装着した状態を示す切欠き正面図である。
【発明を実施するための形態】
【００２７】
以下、本発明の実施形態を示して、その特徴とするところをさらに詳しく説明する。
【００２８】
［第１実施形態］
この第１実施形態（以下単に「実施形態」ともいう）では、まず、本発明の実施形態にかかる換気装置（レンジフード）の基本構成について説明した後、本発明の換気装置の特徴的な構成について説明する。
【００２９】
＜換気装置（レンジフード）の基本構成＞
図１は、本発明の実施形態にかかる換気装置（レンジフード）１１０を示す切欠き正面図である。
【００３０】
このレンジフード１１０は、排気用ファン１０１を駆動するモータ１０７に通電して、排気用ファン１０１を駆動することにより、フード部１０３から吸い込んだ空気を、排気ダクト１０６を経由して、レンジフード１１０が設置された部屋の外部に排出するように構成されている。
【００３１】
一般的には、レンジフード１１０の排気ダクト１０６に延長用排気筒（図示せず）が接続され、レンジフード１１０のフード部１０３から吸引された台所内の空気は、排気ダクト１０６から図示しない延長用排気筒を経て、台所の外部に排出される。
【００３２】
また、このレンジフード１１０は、運転操作部１０８を備え、運転操作部１０８には、「強運転スイッチ」「中運転スイッチ」「弱運転スイッチ」「停止スイッチ」を具備している。なお、図１においては、「強運転スイッチ」「中運転スイッチ」「弱運転スイッチ」「停止スイッチ」の図示を省略している。
【００３３】
そして、「強運転スイッチ」の操作によって制御部１００がモータ１０７を高速回転させることで強運転を行い、「中運転スイッチ」の操作によって制御部がモータ１０７を中速回転させることで中運転を行い、「弱運転スイッチ」の操作によって制御部がモータ１０７を低速回転させることで弱運転を行い、「停止スイッチ」の操作によって制御部がモータ１０７への通電を停止して、排気用ファン１０１の駆動を停止してレンジフード１１０の換気運転が停止するように構成されている。
なお、このような構成は周知の構成であるので、詳細な説明は省略する。
【００３４】
＜特徴的構成＞
次に、本発明の第１実施形態にかかる換気装置の特徴的な構成について説明する。
【００３５】
この第１実施形態にかかる換気装置（レンジフード）１１０は、制御部１００と、送受信部２００Ｓを備えている。
【００３６】
また、換気装置（レンジフード）１１０の制御部１００は、レンジフード１１０のモータ１０７の運転開始時点から所定タイマ時間が経過したことを検出するための検出手段（レンジフード側タイマ部）１２０を備えている。
【００３７】
また、レンジフード１１０は、リモコン１０（図２Ａ）を備えており、リモコン１０は、ＬＥＤを用いたタイマ表示部１１と、換気停止を指令する停止指令スイッチ１３と、レンジフード１１０の送受信部２００Ｓとの間で無線通信を行うためのリモコン側送受信部１０Ｓと、報知部２０とを具備している。
【００３８】
リモコン側送受信部１０Ｓは、レンジフード１１０の送受信部２００Ｓとの間で、後述する通信データの無線通信を行うためのものである。
【００３９】
また、この第１実施形態においては、リモコン１０は、報知部２０として、音による報知を行うブザー報知部２０ａと、リモコン１０のタイマ表示部１１を連続点灯表示と点滅表示に切り替えることで、光による報知を行うことができるように構成された表示部であるＬＥＤ報知部２０ｂとを備えている。すなわち、この第１実施形態では、リモコン１０のタイマ表示部１１が、ＬＥＤ報知部２０ｂとしても機能するように構成されている。
【００４０】
そして、レンジフード１１０の制御部１００が備えるレンジフード側タイマ部１２０が、モータ１０７の運転開始時点から所定タイマ時間が経過したことを検出すると、レンジフード１１０の制御部１００は、レンジフード１１０の送受信部２００Ｓ、リモコン１０の送受信部１０Ｓを介して、リモコン１０に、モータ１０７の運転開始時点から所定タイマ時間が経過したことを、無線通信により送信するように構成されている。
【００４１】
また、リモコン１０は、上記の所定タイマ時間が経過したという情報を受信した時点で、リモコン１０が備える報知部２０（ブザー報知部２０ａとＬＥＤ報知部２０ｂ）によって報知を行うように構成されている。なお、リモコン１０が報知部２０によって報知を行う構成については、後に詳述する。
【００４２】
また、リモコン１０は、停止指令スイッチ１３を備え、使用者が停止指令スイッチ１３を押し操作することで、リモコン１０の送受信部１０Ｓ、レンジフード１１０の送受信部２００Ｓを介して、レンジフード１１０の制御部１００に対して、ファンモータ停止指令用無線信号を無線通信によって送信する。
【００４３】
そして、レンジフード１１０は、その制御部１００が、上述のファンモータ停止指令用無線信号を受信すると、モータ１０７の運転を停止するように構成されている。
【００４４】
この第１実施形態にかかるレンジフード１１０はこのように構成されているので、以下のような作用効果を奏する。
（１）換気の停止、つまりモータ１０７の運転停止は、使用者がリモコン１０が備える停止指令スイッチ１３を操作することによって行われるので、ガスコンロやガスグリルなどによる調理の工程で換気を行っている場合に、調理途中で、使用者の意図に反して換気が停止されてしまうことを確実に防止することができる。
（２）リモコン１０が、所定タイマ時間が経過した時点で、報知部２０によって報知を行うので、この報知によってレンジフード１１０が運転中であることを使用者に確実に認識させて、レンジフード１１０の運転停止を使用者に促すことができるため、レンジフード１１０の消し忘れを防止することができる。
したがって、本発明によれば、調理途中で換気が停止されることがなく、また、調理終了後に換気を停止し忘れる（消し忘れる）ことのないレンジフード１１０を提供することがとすることができる。
【００４５】
次に、リモコン１０が備える報知部２０によって報知を行う構成について説明を行う。
【００４６】
この第１実施形態にかかるレンジフード１１０において、制御部１００は、モータ１０７の運転の開始後、所定タイマ時間を経過した時点で、レンジフード１１０側の送受信部２００Ｓ、リモコン側の送受信部１０Ｓを経て、無線通信により、リモコン１０に対してタイムアップ信号を送信するように構成されている。
【００４７】
そして、リモコン１０が、タイムアップ信号を受信したときに、報知部２０によって報知を行う。具体的には、レンジフード１１０のモータ１０７の運転開始時点から所定タイマ時間が経過した時点で、リモコン１０が、タイムアップ信号を受信したときに、例えば、ブザー報知部２０ａにより音での報知を行うとともに、リモコン１０のタイマ表示部（ＬＥＤ）１１を連続点灯表示から点滅表示に切り替えることで光による報知を行う。
したがって、音と光により使用者に対して確実な報知を行うことができる。
【００４８】
なお、報知は、音による報知と光による報知のいずれか一方のみとすることも可能である。
また、音による報知と光による報知の具体的な方法は上述の例に限られるものではない。
【００４９】
また、この第１実施形態のレンジフード１１０では、制御部１００が、レンジフード１１０のモータ１０７の運転開始時点から所定タイマ時間が経過したことを検出するための検出手段（レンジフード側タイマ部）１２０を備えているので、リモコン１０に、所定タイマ時間が経過したことを計測するためのタイマが不要になり、リモコン１０の構成を簡素化することができる。
【００５０】
（第１実施形態にかかる換気装置（レンジフード）の変形例）
本発明の換気装置は上述の第１実施形態にかかるレンジフード１１０に限定されるものではなく、図２Ｂ（ａ）、（ｂ）に示すように、リモコン１０に、さらにタイマ時間変更設定操作部１２を設け、リモコン１０が、タイマ時間変更設定操作部１２の操作によって所定タイマ時間を変更設定できるようにするとともに、タイマ時間変更設定信号を無線通信によってレンジフード１１０の制御部１００に送信し、制御部１００がタイマ時間変更設定信号を受信したときに、所定タイマ時間が変更設定されるように構成することも可能である。
【００５１】
なお、このように構成した場合、タイマ時間変更設定操作部１２の操作によって変更設定された所定タイマ時間は、リモコン１０に備えるタイマ表示部１１に表示される。
【００５２】
この変形例のように構成することで、リモコン１０によって所定タイマ時間を変更することができるので使い勝手が向上する。
【００５３】
ただし、上述のように、リモコン１０が、タイマ時間変更設定操作部１２を備え、その操作によって所定タイマ時間を変更設定できるようにするとともに、タイマ時間変更設定信号を無線通信によってレンジフード１１０に送信し、レンジフード１１０の制御部１００が、タイマ時間変更設定信号を受信したときに、制御部１００が所定タイマ時間を変更設定するようにした構成は、任意の構成であり、かかる構成を備えなくてもよい。
【００５４】
なお、リモコン１０が備える報知部２０によって報知を行う構成は、上述の第１実施形態の構成に限定されるものではなく、下記の第２実施形態のように構成することも可能である。
【００５５】
［第２実施形態］
以下に、本発明の第２実施形態について説明する。なお、第２実施形態にかかる換気装置（レンジフード）の主要部については、特に図示せず、上述の第１実施形態のレンジフード１１０を示す図１を参照しつつ説明する。また、リモコン１０については、第２実施形態のレンジフード１１０で用いるリモコン１０を示す図２Ｃ（ａ）、（ｂ）を参照しつつ説明する。
【００５６】
この第２実施形態では、上述の第１実施形態とは異なり、レンジフード１１０の制御部１００は、レンジフード１１０のモータ１０７の運転開始時点から所定タイマ時間が経過したことを検出するための検出手段（レンジフード側タイマ部１２０（図１））を備えておらず、リモコン１０が、所定タイマ時間が経過したことを検出するための検出手段（リモコン側タイマ部）３０を備えている。
また、第２実施形態においては、リモコン１０は、所定タイマ時間を変更するためのタイマ時間変更設定操作部１２を備えている。
【００５７】
一方、レンジフード１１０の制御部１００は、モータ１０７の運転の開始時点で、リモコン１０に対して無線通信によって運転開始信号を送信するように構成されている。
【００５８】
そして、リモコン１０が、レンジフード１１０から上述の運転開始信号を受信した後、所定タイマ時間が経過した時点で、報知部２０によって報知を行うように構成されている。
【００５９】
その他の構成は、上述の第１実施形態にかかる換気装置（レンジフード）の変形例（図２Ｂ参照）にかかるレンジフード１１０の場合と同様である。
【００６０】
この第２実施形態のレンジフード１１０の場合、リモコン１０が所定タイマ時間が経過したことを検出するための検出手段（リモコン側タイマ部）３０と、タイマ時間変更設定操作部１２とを備えているので、所定タイマ時間を変更する必要が生じた場合に、リモコン１０側でタイマ時間変更設定操作部１２を操作するだけで、所定タイマ時間の変更を行うことが可能になる。すなわち、所定タイマ時間を変更する必要が生じた場合に、レンジフード１１０の制御部１００による制御定数の変更を行うことを必要とせずに、容易に所定タイマ時間の変更を行うことが可能になる。
【００６１】
（第２実施形態にかかる換気装置（レンジフード）の変形例）
本発明の換気装置は上述の第２実施形態にかかるレンジフード１１０に限定されるものではなく、リモコン１０には、タイマ変更設定操作部１２を設けないようにする一方で、リモコン１０が所定タイマ時間を記憶格納するメモリ素子（例えばＳＤメモリ）を装着するメモリ素子装着部を備えた構成とし、かつ、リモコン１０が、運転開始信号を受信した後、メモリ素子装着部に装着されたメモリ素子（例えばＳＤメモリ）に記憶格納された所定タイマ時間が経過した時点で、報知部２０によって報知を行うように構成することも可能である。このように構成した場合、メモリ素子（例えばＳＤメモリ）に記憶格納された所定タイマ時間を周知の方法によって適宜書き換えることで、所定タイマ時間の変更を行うことが可能になる。
【００６２】
なお、この場合、タイマ時間変更設定操作部１２の操作によって変更設定された所定タイマ時間は、リモコン１０に備えるタイマ表示部１１に表示される。
【００６３】
このように構成することで、リモコン１０によって所定タイマ時間を変更することができるので使い勝手が向上する。
【００６４】
（第１実施形態および第２実施形態の換気装置（レンジフード）の変形例）
また、本発明の換気装置は、上述の第１実施形態および第２実施形態に限定されるものではなく、以下に説明するような構成とすることも可能である。
【００６５】
この変形例にかかる換気装置では、製造される複数の換気装置（レンジフード）１１０に対して、それぞれ異なるＩＤコードが設定されており、複数のレンジフード１１０のそれぞれに対応するリモコン１０にも、複数のレンジフード１１０のそれぞれに設定されたＩＤコードに対応するＩＤコード（レンジフード１１０に設定されたＩＤコードと同じＩＤコード）が設定されている。
【００６６】
そして、リモコン１０が、レンジフード１１０との無線通信において、通信データにこのＩＤコードを含めて送信するように構成されている。
【００６７】
レンジフード１１０の制御部１００は、受信した通信データの中に当該レンジフードに設定されたＩＤコードと同じＩＤコードが含まれるとき、通信データを当該レンジフード１１０の制御部１００に対応するリモコン１０からの通信データとして受信する。
【００６８】
また、レンジフード１１０の制御部１００は、リモコン１０との無線通信において、通信データに当該レンジフード１１０に設定されたＩＤコードを含めて送信するように構成されている。
【００６９】
そして、リモコン１０が受信した通信データに、当該リモコン１０に設定されたＩＤコードと同じＩＤコードが含まれるとき、通信データを当該リモコン１０に対応するレンジフード１１０の制御部１００からの通信データとして受信するように構成されている。
【００７０】
これにより、複数のレンジフード１１０が設置されている場合にも、レンジフード１１０が、当該レンジフード１１０に対応するリモコン１０以外のリモコンから送信される通信データによって誤動作すること、および、リモコン１０が、当該リモコン１０に対応するレンジフード１１０の制御部１００以外の制御部から送信される通信データによって誤動作することを防止できる。
【００７１】
（第１および第２実施形態の換気装置（レンジフード）の他の変形例）
また、上述の第１実施形態および第２実施形態のレンジフード１１０は、さらに、以下に説明するような構成とすることができる。
この変形例にかかる換気装置（レンジフード）１１０では、ＩＤコードがレンジフード１１０の制御部１００に格納されており、レンジフード１１０は、ＩＤコード転送手段４０（図３，図４参照）を備えている。
【００７２】
そして、レンジフード１１０の制御部１００が、ＩＤコード転送手段４０によって、制御部１００に格納されているＩＤコードをリモコン１０に転送することができるように構成されている。
なお、ＩＤコード転送手段４０については、後に詳述する。
【００７３】
このように構成することで、メンテナンスなどにより、レンジフード１１０の制御部１００、あるいは、リモコン１０を取り換えることが必要になったときに、制御部１００とリモコン１０を同じＩＤコードによって対応付けることができる。
【００７４】
（第１および第２実施形態にかかるリモコンの電源について）
次に、第１および第２実施形態にかかる換気装置（レンジフード）１１０が備えるリモコン１０の電源について説明する。
第１および第２実施形態にかかるレンジフード１１０が備えるリモコン１０は、バッテリー（図示せず）を電源としている。
【００７５】
また、レンジフード１１０は、図４に示すように、リモコン１０を収容、保持するリモコンホルダ４１を備えているとともに、交番磁界を発生させる交番磁界発生部（一次巻線）５０を備えている。なお、交番磁界発生部（一次巻線）５０は、リモコンホルダ４１に近接して配設されている。
【００７６】
また、リモコン１０には二次巻線６０が設けられている。
【００７７】
そして、当該リモコン１０がリモコンホルダ４１内の所定位置に収容、保持された状態において、リモコン１０が備える二次巻線６０が、一次巻線５０により発生した交番磁界によって交流電圧を発生させるように構成されている。
【００７８】
また、リモコン１０は、特に図示しないが、二次巻線６０に発生した交流電圧を直流電圧に変換して直流電圧を発生させる直流電圧発生部と、直流電圧発生部で発生した直流により充電されるバッテリーを備えている。
【００７９】
その結果、リモコン１０が備えるバッテリーが、上述の直流電圧発生部で発生した直流によって充電されるように構成されている。
【００８０】
（ＩＤコード転送手段について）
上述のように、この実施形態にかかる換気装置（レンジフード）１１０は、制御部１００に格納されているＩＤコードをリモコン１０に転送するＩＤコード転送手段４０を備えており、この実施形態では、交番磁界発生部（一次巻線）５０、リモコン１０が備える二次巻線６０などからＩＤコード転送手段４０が構成されている。
そして、この実施形態にかかる換気装置（レンジフード）１１０においては、交番磁界発生部（一次巻線）５０に重畳されたＩＤコードが、リモコン１０において二次巻線６０に発生した交流電圧に重畳される形態で、レンジフード１１０の制御部１００からリモコン１０に転送されるように構成されている。
【００８１】
このように、ＩＤコードが、リモコン１０において二次巻線６０に発生した交流電圧に重畳される形態で、レンジフード１１０の制御部１００からリモコン１０に転送されるように構成した場合、リモコン１０の電源となるバッテリーを充電するときや、レンジフード１１０の制御部１００からリモコン１０にＩＤコードを転送するときに、電線による制御部１００とリモコン１０との接続が不要になり、構成を簡略化することが可能になるとともに、接続不良や接点の接触不良などを引き起こすことがなく、信頼性が高く、使い勝手の良好な換気装置を実現することが可能になる。
【００８２】
なお、制御部１００とリモコン１０との間で行われる無線通信の方式としては、周知の種々の通信方式が採用可能であり、詳細な説明は省略する。
【００８３】
［その他の実施形態］
上記実施形態では、換気装置が、フード部１０３を備えるレンジフード１１０である場合について説明したが、換気装置は、フード部を備えない換気扇であってもよい。その場合も上記実施形態の場合と同様の効果を得ることができる。
【００８４】
また、図５に示すように、リモコン１０に磁石７０（７０ａ、７０ｂ）を配設し、リモコン１０がリモコンホルダ４１内において位置ずれすることなく、確実に所定の位置に保持されるように構成してもよい。
【００８５】
このように構成することで、リモコン１０の電源となるバッテリーの充電をより確実に行うことが可能になり、ＩＤコードの送受信などの動作を適正に行わせることができるようになる。
【００８６】
なお、この場合、磁石７０（７０ａ、７０ｂ）を、二次巻線６０から離隔することで、一次巻線５０と二次巻線６０との電磁的な結合に悪影響を及ぼすことを回避することができる。
【００８７】
また、レンジフード１１０に対して所定の操作を行った時点で、リモコン１０が音による報知を行うように構成してもよい。
【００８８】
なお、上記所定の操作としては、換気開始のための「強運転スイッチ」や「中運転スイッチ」や「弱運転スイッチ」の操作、または、この報知専用に設けた報知用スイッチの操作などが例示されるが、上記「所定の操作」に特別の制約はない。
【００８９】
上述のように、レンジフード１１０に対して所定の操作を行った時点で、リモコン１０が音による報知を行うように構成した場合、リモコン１０をどこかに置き忘れたた場合などに、レンジフード１１０に対して所定の操作を行うことで、リモコン１０に音による報知を行わせてリモコン１０の存在場所を知らせることができるので、使い勝手を向上させることができる。
【００９０】
本発明は、さらにその他の点においても上記実施形態に限定されるものではなく、本発明の範囲内において種々の変形を加えることが可能である。
【符号の説明】
【００９１】
１０        リモコン
１０Ｓ      リモコン側送受信部
１１        タイマ表示部（ＬＥＤ）
１２        タイマ時間変更設定操作部
１３        停止指令スイッチ
２０        報知部
２０ａ      ブザー報知部
２０ｂ      ＬＥＤ報知部
３０        リモコン側タイマ部
４０        ＩＤコード転送手段
４１        リモコンホルダ
５０        交番磁界発生部（一次巻線）
６０        二次巻線
７０（７０ａ、７０ｂ）    磁石
１００      制御部
１０１      排気用ファン
１０３      フード部
１０６      排気ダクト
１０７      モータ
１０８      運転操作部
１１０      換気装置（レンジフード）
１２０      レンジフード側タイマ部
２００Ｓ    送受信部
【図１】
2018179377.tif 000003
【図２Ａ】
2018179377.tif 000004
【図２Ｂ】
2018179377.tif 000005
【図２Ｃ】
2018179377.tif 000006
【図３】
2018179377.tif 000007
【図４】
2018179377.tif 000008
【図５】
2018179377.tif 000009